(57)【要約】【課題】取り付け時の作業性が優れた取付部品を備えた照明器具を提供する。【解決手段】埋込穴３００が形成された被取付部２００に取り付けられるヒートシンク１０であって、ヒートシンク１０は、埋込穴３００に挿入される放熱部１２と、放熱部１２の側部１１３，１１４に取り付けられる一対の取付バネ４０であって、各取付バネ４０は側部１１３，１１４に設けられたバネ取付部１５に取り付けられ、バネ取付部１５を支点に挿抜方向に円弧状に回動自在であり、挿入方向に回動するにつれて復元力を増す支持部４３を有する一対の取付バネ４０とを備え、ヒートシンク１０には、支持部４３を挿入方向に回動させた場合、支持部４３の少なくとも一部が収容される収容部１２２が形成される。【選択図】図５
2015118786.tif 000002
【特許請求の範囲】
【請求項１】
孔が形成された被取付部に取り付けられる取付部品において、
前記孔に挿入される挿入部と、
前記挿入部の側部に取り付けられる一対の取付バネであって、各取付バネは前記側部に設けられた取付部に取り付けられ、前記取付部を支点に挿抜方向に円弧状に回動自在であり、挿入方向に回動するにつれて復元力を増すアーム部を有する一対の取付バネと
を備え、
前記挿入部には、前記アーム部を挿入方向に回動させた場合、前記アーム部の少なくとも一部が収容される収容部が形成されたことを特徴とする取付部品。
【請求項２】
前記挿入部は、
前記収容部に前記アーム部の少なくとも一部が挿入された状態で、前記孔に挿入されることを特徴とする請求項１に記載の取付部品。
【請求項３】
前記アーム部は、
折り曲げ部で折り曲げられたくの字形状であり、挿入方向に回動されると前記収容部に前記折り曲げ部が収容されることを特徴とする請求項１または２に記載の取付部品。
【請求項４】
前記挿入部は、円形の前記孔に挿入され、
前記収容部に前記アーム部の少なくとも一部が挿入された状態の前記挿入部と前記アーム部との径は、前記孔の径よりも短いことを特徴とする請求項１〜３のいずれかに記載の取付部品。
【請求項５】
前記一対の取付バネの各々は、２つの前記アーム部を有し、
前記アーム部は、両端部のうち一端部が前記取付部に取り付けられ、
２つの前記アーム部の間隔は、前記一端部の側よりも他端部の側が広いことを特徴とする請求項１〜４のいずれかに記載の取付部品。
【請求項６】
請求項１〜５のいずれかに記載の取付部品を備える照明器具であって、
前記挿入部は、光源を取り付ける光源取付部を備えることを特徴とする照明器具。
【請求項７】
前記挿入部は、
前記光源が発する熱を放熱する複数の放熱フィンを備えることを特徴とする請求項６に記載の照明器具。
【請求項８】
前記挿入部は、
前記複数の放熱フィンの各放熱フィン同士間に形成される空間を前記収容部として前記アーム部の少なくとも一部を収容することを特徴とする請求項７に記載の照明器具。
【発明の詳細な説明】
【技術分野】
【０００１】
本発明は、取付部品に関するものであり、特に、天井などの被取付部に取り付けられるダウンライトなどの照明器具が備える取付部品に関する。
【背景技術】
【０００２】
ダウンライトなどの照明器具は、天井などの被取付部に埋込穴を設け、この埋込穴に照明器具の器具本体を埋め込むことによって取り付けられている。
【０００３】
取り付け方法としては、器具本体の側面に、側面から外側へ傾斜するような形状をした板ばねを複数配設し、この板ばねが埋込穴の周縁を押圧することにより、器具本体を天井の埋込穴に保持する方法がある（例えば、特許文献１参照）。
また、器具本体が埋込穴に挿入される底面近傍にコイルばねを備えており、器具本体を埋込穴に挿入する際には、コイルばねを強制的に埋込穴側に略半円回動させた状態で挿入し、挿入後コイルばねの復元力により被取付部に保持される照明器具がある（例えば、特許文献２参照）。
さらに、照明器具が放熱の為のヒートシンクを備えており、ヒートシンクの側面にコイルばねが設けられ、ＬＥＤ（発光ダイオード）から発生する熱を効率よく照明器具の外部へ放熱する機構と、取り付けのための機構とを兼ね合わせた照明器具がある（例えば、特許文献３参照）。
【先行技術文献】
【特許文献】
【０００４】
【特許文献１】特開２０１０−０７３４９０号公報
【特許文献２】特開２０１０−２５７７４５号公報
【特許文献３】特開２０１３−１４０７７２号公報
【発明の概要】
【発明が解決しようとする課題】
【０００５】
特許文献１の照明器具は、板バネが埋込穴の周縁を押圧することにより天井の埋込穴に保持されるため、天井板の厚みが薄いと、板バネが埋込穴の周縁を押圧できず、天井の埋込穴に保持されないことがある。
また、特許文献２の照明器具は、ヒートシンクを備えておらず、光出力が大きくなるにしたがって、ＬＥＤの発熱を効率的に放熱できないと考えられる。
一方で、特許文献３はヒートシンクを備えたものであり放熱性を考慮したものであるが、コイルばねの可動領域が狭く、埋込穴へ挿入し難く、作業性が低いと考えられる。
【０００６】
本発明は、上記のような課題を解決するためになされたものであり、ＬＥＤの発熱を効率的に放熱するとともに、被取付部の天井材等の厚さに影響を受けずに取り付けることができ、かつ、取り付け時の作業性が高い照明器具を提供することを目的とする。
【課題を解決するための手段】
【０００７】
本発明に係る取付部品は、孔が形成された被取付部に取り付けられる取付部品において、前記孔に挿入される挿入部と、前記挿入部の側部に取り付けられる一対の取付バネであって、各取付バネは前記側部に設けられた取付部に取り付けられ、前記取付部を支点に挿抜方向に円弧状に回動自在であり、挿入方向に回動するにつれて復元力を増すアーム部を有する一対の取付バネとを備え、前記挿入部には、前記アーム部を挿入方向に回動させた場合、前記アーム部の少なくとも一部が収容される収容部が形成されたことを特徴とする。
【発明の効果】
【０００８】
本発明に係る取付部品によれば、被取付部に形成された孔に挿入される挿入部と、挿入部の側部に取り付けられる一対の取付バネとを備え、挿入部には、取付バネのアーム部を挿入方向に回動させた場合、アーム部の少なくとも一部が収容される収容部が形成されているので、取り付け時の作業性に優れた取付部品を提供することができる。
【図面の簡単な説明】
【０００９】
【図１】実施の形態１に係る照明器具の傾斜図である。
【図２】図１に示す照明器具の三面展開図である。
【図３】図２に示す照明器具のＡ−Ａ断面図である。
【図４】図１に示す照明器具の分解傾斜図である。
【図５】実施の形態１に係る照明器具において、ヒートシンクを埋込穴に挿入するために一対の取付バネを上方に回動させた状態を示した図である。
【図６】図５の状態の照明器具を埋込穴の上方から見た場合の模式図である。
【図７】実施の形態に係る照明器具の取付工程図であり、（ａ）は照明器具を埋込穴に挿入するために取付バネを上方に可動させた状態であり、（ｂ）は照明器具の取付バネの第二の支持部が埋込穴に挿入された状態であり、（ｃ）は照明器具のヒートシンクが埋込穴に挿入され固定された状態である。
【発明を実施するための形態】
【００１０】
以下の実施の形態について、図を用いて説明する。なお、以下の実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
以下の実施の形態では、埋込穴３００に挿入する挿入方向（光の照射方向の反対方向）を上方（上側）とし、埋込穴３００から抜く抜き方向（光の照射方向）を下方（下側）として説明する。
【００１１】
実施の形態１．
図１は、本実施の形態に係る照明器具１００の傾斜図である。
図２は、図１に示す照明器具１００の三面展開図である。
図３は、図２に示す照明器具１００のＡ−Ａ断面図である。
図４は、図１に示す照明器具１００の分解傾斜図である。
図５は、本実施の形態に係る照明器具１００において、ヒートシンク１０を埋込穴３００に挿入するために一対の取付バネ４０を上方に回動させた状態を示したＡ−Ａ断面図である。
図１〜図５を用いて、本実施の形態における照明器具１００の構成について説明する。
【００１２】
照明器具１００は、例えば天井などの被取付部２００（図５参照）に取り付けられるダウンライトなどの照明器具である。照明器具１００は、被取付部２００に設けられた埋込穴３００（孔）（図５参照）に挿入され設置される。本実施の形態では、埋込穴３００として円形の孔を想定しているが、孔の形状は円形に限られず、楕円形、多角形などでも本実施の形態は適用することができる。
【００１３】
図１〜図３に示すように、照明器具１００は、取付部品６０、光源部２０、レンズ部３０、電源部（図示しない）を備える。取付部品６０は、ヒートシンク１０（挿入部）、取付バネ４０を備える。
取付部品６０は、埋込穴３００が形成された天井などの被取付部２００に取り付けられる。
【００１４】
ヒートシンク１０は、アルミ二ウムなど放熱性に優れた材料により形成され、光源部２０の熱を放熱する。
光源部２０は、例えば、ＬＥＤなどの光源を備え、ヒートシンク１０が備える光源取付部１１に取り付けられる。
レンズ部３０は、光源部２０に対面するようにヒートシンク１０に取り付けられ、光源から発せられる光を配光する。
取付バネ４０は、ヒートシンク１０の側部１１３，１１４に対になるように２つ配置される。
電源部は、商用電源からの電力を光源部２０に供給することにより、光源部２０を点灯させるものであり、例えば、略箱状のケース内部に点灯回路を備える。点灯回路の図示は省略する。本実施の形態では、照明器具１００は電源部が別置きの電源別置形ダウンライトであるものとして説明するが、電源別置形の照明器具でなくでも本実施の形態は適用することができる。
【００１５】
次に、ヒートシンク１０、光源部２０、レンズ部３０、取付バネ４０について、さらに説明する。
【００１６】
＜ヒートシンク１０の説明＞
ヒートシンク１０は、アルミ二ウムなど放熱性に優れた材料により形成される。
ヒートシンク１０は、光源取付部１１と、放熱部１２とを有する。放熱部１２は、埋込穴３００に挿入される。
光源取付部１１は、ヒートシンク１０の下側（光の照射方向側）に設けられ、光源部２０を取り付ける。
放熱部１２は、光源取付部１１の上方に設けられ、光源部２０から発生する熱を放熱する。
【００１７】
図３に示すように、ヒートシンク１０は、レンズ部３０が嵌め込まれるレンズ差込部１３と、レンズ部３０と当接するレンズ受部１４とを備える。
また、図３、図４に示すように、ヒートシンク１０は、一対の取付バネ４０を固定するための一対のバネ取付部１５（取付部）と、照明器具１００が被取付部２００に固定される際に被取付部２００と当接する取付接触部１７とを備える。
【００１８】
光源取付部１１は、略円形状をしており、光源部２０が取り付けられる光源取付当接部１１ａと、光源取付当接部１１ａの外周より、放熱部１２と反対方向（下方向）へ垂直に突出して形成された光源取付側部１１ｂとを有する。
【００１９】
放熱部１２は、複数の放熱フィン１２１から構成される。放熱フィン１２１は、光源取付部１１の光源部２０が取り付けられる光源取付当接部１１ａの反対面から、上方に垂直に突出するように形成されている。放熱部１２は、複数の放熱フィン１２１により、略直方体を成すように構成される。
【００２０】
図４に示すように、放熱部１２において、Ｐ１から見た側を前部１１１、Ｐ２から見た側を後部１１２、前部１１１と後部１１２との間の両側を側部１１３，１１４とする。
放熱部１２は、ここでは、５つの放熱フィン１２１（放熱フィン１２１１，１２１２，１２１３，１２１４，１２１５）を備えているが、放熱フィンの数は３つ、４つ、６つ、７つ、その他の数でも構わない。
【００２１】
放熱フィン１２１は、アルミニウムなどの金属で形成された板材である。放熱フィン１２１は、放熱面部１２１ａと、放熱面部１２１ａの両側のフィン側部１２１ｂとを備える。放熱フィン１２１同士は、略等間隔で略平行になるよう配置されている。
放熱部１２の両側の側部１１３，１１４には、それぞれ取付バネ４０を取り付けるバネ取付部１５が設けられる。
【００２２】
レンズ差込部１３は、光源取付側部１１ｂの外周に隣接するように設けられた溝であり、後述するレンズ部３０の差込片３３が嵌め込まれる。
レンズ受部１４は、レンズ差込部１３の外周に隣接するように設けられ、レンズ部３０がレンズ差込部１３に嵌め込まれたときにレンズ部３０と当接する。
【００２３】
光源取付当接部１１ａと、レンズ差込部１３と、レンズ受部１４は平面にて略同心円の関係にあるが、断面では光源取付当接部１１ａがレンズ差込部１３と、レンズ受部１４より放熱部１２側に配置されている。
【００２４】
取付接触部１７は、光源取付部１１、放熱部１２、バネ取付部１５を囲むように形成している。また、取付接触部１７は、レンズ受部１４の反対面に位置する。
【００２５】
＜光源部２０の説明＞
光源部２０は、ＬＥＤパッケージを基板に実装したものであり、電源部から供給される電力により点灯する。光源部２０は、実装面の反対側の面が光源取付部１１と当接するように、光源取付部１１に取り付けられる。
また、光源部２０は、ＣＯＢ（チップオンボード）などのＬＥＤモジュールでもよく、有機ＥＬ（有機エレクトロルミネッセンス）などでもよい。
【００２６】
＜レンズ部３０の説明＞
レンズ部３０は、樹脂など透光性を有した材料により、略円柱状の形状に形成されている。レンズ部３０は、光源部２０から照射される光を特定方向へ制御するものである。
【００２７】
図３、図４に示すように、レンズ部３０は、ヒートシンク１０と対向する面に、光源部２０から照射される光を入力する入光部３１と、ヒートシンク１０のレンズ差込部１３に差し込まれる差込片３３と、レンズ受部１４と当接するヒートシンク接触部３４とを備える。また、図３に示すように、レンズ部３０には、入光部３１とは反対側の光の照射方向側に、入光部３１から入力された光を特定方向へ照射する照射部３２が形成されている。
【００２８】
入光部３１は、ＬＥＤパッケージを覆う円柱形状をした集光部であり、ＬＥＤパッケージと対向する面が照射部３２方向へ円弧形状に凹んだ凹部３１ａを形成している。
差込片３３は、入光部３１の外側において、円周状に突出し形成されており、レンズ差込部１３に嵌め込まれる。
ヒートシンク接触部３４は、差込片３３の外周に差込片３３を囲むように環状に形成されている。ヒートシンク接触部３４と差込片３３とは垂直関係（直交関係）にある。
また、ヒートシンク接触部３４とレンズ受部１４とは略同心円である。
【００２９】
照射部３２には、外周縁より中心に向かって凹むように傾斜する傾斜部３２ｂが環状に設けられる。また、照射部３２には、傾斜部３２ｂの中心に、円弧状の凸部３２ａが形成されている。また、凹部３１ａの中心と凸部３２ａの中心とは同軸上である。
【００３０】
レンズ部３０は、差込片３３がレンズ差込部１３に挿入され、ヒートシンク接触部３４がレンズ受部１４に当接された後に、ヒートシンク１０に固定される。
【００３１】
＜取付バネ４０の説明＞
取付バネ４０は、照明器具１００を被取付部２００に固定するものである。取付バネ４０は、ステンレス鋼線等のバネ材を折り曲げ、２重構造に形成したものである。
【００３２】
図２〜４に示すように、取付バネ４０は、バネ取付部１５に差し込まれる引掛部４１と、コイル状に巻かれたコイルバネ部４２と、コイルバネ部４２の力を被取付部２００に伝達する支持部４３（アーム部）と、被取付部２００に当接する端部４４とから構成される。２重構造であるため、引掛部４１、コイルバネ部４２、支持部４３は、それぞれ一対存在する。つまり、１つの取付バネ４０は、２つの支持部４３を有する。支持部４３の両端部のうち、一端部はバネ取付部１５に取り付けられる引掛部４１及びコイルバネ部４２の側であり、他端部は端部４４の側である。端部４４は、一方の支持部４３と他方の支持部４３とを繋ぐ連結部分である。
また、一方の支持部４３と他方の支持部４３との間隔は、支持部４３が隣り合う放熱フィン１２１同士の間に差し込める間隔とする。支持部４３を隣り合う放熱フィン１２１同士の間に差し込む構成については後述する。
【００３３】
支持部４３は、「く」の字状のうちのコイルバネ部４２側に位置する第一の支持部４３ａと、端部４４側に位置する第二の支持部４３ｂと、第一の支持部４３ａと第二の支持部４３ｂとの境界の屈曲部４６（折り曲げ部）から構成される。支持部４３は、屈曲部４６で折り曲げられたくの字形状である。
【００３４】
例えば、第一の支持部４３ａの長さと第二の支持部４３ｂの長さとは、略同等の長さでもよい。あるいは、第一の支持部４３ａの長さと第二の支持部４３ｂの長さとの比は、２：１、３：２、４：３、５：４などの比でもよい。好ましくは、第一の支持部４３ａの長さと第二の支持部４３ｂの長さとの比の値が、２：１〜１：１の間であることが好ましい。つまり、第一の支持部４３ａの長さ≧第二の支持部４３ｂの長さとなる。
【００３５】
屈曲部４６の内側の角度θは、鈍角が好ましい。例えば、屈曲部４６の角度θは、９５度から１０５度の間が好ましい。より好ましくは、１００度がよい。
【００３６】
図２に示すように、端部４４の幅Ｌ１は、一対の第一の支持部４３ａ同士の幅Ｌ２よりも、広く形成される。つまり、一対の支持部４３（２つのアーム部）の間隔は、バネ取付部１５の側（一端部の側）よりも端部４４の側（他端部の側）が広い。これにより、取付バネ４０と垂直な方向（Ｐ１−Ｐ２方向（図４参照））からの負荷による照明器具１００の転倒を規制することができる。
【００３７】
図３に示すように、取付バネ４０は、端部４４がレンズ部３０の方向になるように、バネ取付部１５に引掛部４１とコイルバネ部４２とが設置される。その後、図４に示すように、コイルバネ部４２を覆うようにバネ制御部４５がバネ取付部１５近傍にネジ４７により取り付けられ固定される。
【００３８】
図５は、取付バネ４０を、バネ取付部１５に取り付けられたコイルバネ部４２を支点として、上方に回転移動（回動）させた状態を示している。
取付バネ４０は、ヒートシンク１０の側部１１３，１１４に設けられたバネ取付部１５の部分を支点に上下方向（挿抜方向）に円弧状に回動自在であり、支持部４３は上方向に回動するにつれて下方への復元力を増す。
【００３９】
図５に示すように、取付バネ４０は、支持部４３が、隣り合う放熱フィン１２１同士の間に挿入されるように弾性変形しながら回動する。
隣り合う放熱フィン１２１同士の間とは、放熱フィン１２１２と放熱フィン１２１３との間、放熱フィン１２１３と放熱フィン１２１４との間である。
図５は、図２のＡ−Ａ断面図であるから、後部１１２側の支持部４３が放熱フィン１２１３と放熱フィン１２１４との間に収容されている状態を示している。
放熱部１２は、取付バネ４０の少なくとも一部を放熱フィン１２１３と放熱フィン１２１４との間に収容する。
【００４０】
図２、図５に示すように、取付バネ４０がＰ３方向、Ｐ４方向に回動されると、一対の支持部４３のうち前部１１１側の支持部４３は放熱フィン１２１２と放熱フィン１２１３との間に挿入され、後部１１２側の支持部４３は放熱フィン１２１３と放熱フィン１２１４との間に挿入される。
放熱フィン１２１３と放熱フィン１２１４との間、放熱フィン１２１２と放熱フィン１２１３との間は、取付バネ４０の少なくとも一部を収容する収容部１２２（図２参照）である。
【００４１】
図４に示すように、バネ制御部４５には、取付バネ４０の回動にともなう支持部４３の可動範囲を制御するスリット部４５ａが設けられる。取付バネ４０は、支持部４３がスリット部４５ａの底部４５ｂに到達するまで回動される。
図５は、支持部４３がスリット部４５ａの底部４５ｂに到達した状態とする。このとき、第一の支持部４３ａ、屈曲部４６が２つの放熱フィン１２１の間（収容部１２２）に挿入されているが、第二の支持部４３ｂは一部が収容部１２２に挿入され、端部４４近傍は収容部１２２の外側に位置する。
このときの両側の端部４４同士の間隔Ｌ３は、埋込穴３００の埋込穴幅Ｌ４（埋込穴３００の径）よりもやや短いことが好ましい。
【００４２】
バネ制御部４５のスリット部４５ａ、底部４５ｂは、支持部４３が底部４５ｂに到達している状態で、一対の取付バネ４０のそれぞれの端部４４間の距離Ｌ３が埋込穴３００の埋込穴幅Ｌ４よりも若干短くなるように形成される。
【００４３】
図６は、図５の状態の照明器具１００を埋込穴３００の上方から見た場合の模式図である。模式図であるため、構成部の細部は省略している。
図６に示すように、取付バネ４０の支持部４３の少なくとも一部が収容部１２２に挿入された状態のヒートシンク１０を上方から見た場合に、ヒートシンク１０と取付バネ４０の支持部４３とは、埋込穴３００の周縁の内側に収まる。つまり、収容部１２２に取付バネ４０の支持部４３の少なくとも一部が挿入された状態で、ヒートシンク１０と取付バネ４０とを合わせた取付部品６０の全体の径は、埋込穴の径よりも短い。
これにより、照明器具１００を埋込穴３００に挿入する際の作業性を向上させることができる。
【００４４】
次に、図７を用いて照明器具１００の取り付け工程について説明する。
図７は、本実施の形態に係る照明器具１００の取付工程図であり、（ａ）は照明器具１００を埋込穴３００に挿入するために取付バネ４０を上方に可動させた状態であり、（ｂ）は照明器具１００の取付バネ４０の第二の支持部４３ｂが埋込穴３００に挿入された状態であり、（ｃ）は照明器具１００のヒートシンク１０が埋込穴３００に挿入され固定された状態である。
図７において、被取付部２００の上側の面を被取付部裏面２００ａ、下側の面を被取付部表面２００ｂとする。
【００４５】
図７（ａ）において、取付バネ４０はコイルバネ部４２を回転の軸（支点）として、対向する端部４４間の距離Ｌ３が埋込穴幅Ｌ４よりも狭くなるまで回動されている。
このとき、支持部４３は放熱フィン１２１を避けるように配置されており、取付バネ４０の支持部４３は放熱フィン１２１の間の収容部１２２を回動する。
このように、対向する端部４４間の距離Ｌ３が埋込穴３００の埋込穴幅Ｌ４より狭めた状態にして、対向する取付バネ４０を埋込穴３００に挿入する。
【００４６】
例えば、作業者がＰ５，Ｐ６のように取付バネ４０を両側から押圧することによって、取付バネ４０の屈曲部４６が放熱部１２の内部（収容部１２２）に挿入されている状態を保ち、埋込穴３００に挿入する。
【００４７】
次に、図７（ｂ）において、取付バネ４０は、埋込穴３００に端部４４が挿入されたあとに、上方への回動が解消されると、コイルバネ部４２の弾性復元力により、支持部４３が下方に戻ろうとする。これにより、一対の取付バネ４０のそれぞれは、対向する取付バネ４０との距離を広げていく。
このとき取付バネ４０は、コイルバネ部４２の弾性復元力により、端部４４が被取付部裏面２００ａを滑りながら移動するとともに、第一の支持部４３ａが埋込穴３００の孔周縁部を上方に滑りながら移動し、ヒートシンク１０を埋込穴３００に挿入させる。
作業者は、Ｐ７のように下方から照明器具１００に対して軽く力を加えるか、照明器具１００を軽く支えるだけでヒートシンク１０を埋込穴３００に挿入することができるため、取り付け時の作業性が向上する。
【００４８】
このように、取付バネ４０が、被取付部裏面２００ａ、もしくは埋込穴３００孔周縁部を滑りながら移動することにより、ヒートシンク１０が被取付部２００の裏面空間に挿入される。このため、埋込穴挿入時における取付バネ４０の軌跡が、被取付部２００からヒートシンク１０の高さＨ（図７（ｃ）参照）を越えることなく、ヒートシンク１０を挿入することができる。
【００４９】
次に、図７（ｃ）において、照明器具１００のヒートシンク１０は埋込穴３００に挿入された状態で被取付部２００に固定されている。
このとき、照明器具１００は、取付接触部１７が被取付部表面２００ｂと当接するとともに、取付バネ４０の弾性復元力によって取付バネ４０が被取付部裏面２００ａを押圧することにより、被取付部２００に保持されている。このように、取付部品６０（ヒートシンク１０及び取付バネ４０）は、被取付部２００を両側の面からしっかり押さえつけているので、被取付部２００の材料厚が薄い場合でも確実に照明器具１００を固定することができる。
【００５０】
本実施の形態では、レンズ部３０がヒートシンク１０の外部に飛び出す形状の場合について説明したが、レンズ部３０はヒートシンク１０の内部におさまる形状でもよい。また、レンズ部３０は、レンズそのものではなく、例えば、肉厚が均一なカバーなどの形態でもよい。
【００５１】
また、本実施の形態では、取付バネ４０としてコイルバネを用いたが、例えば、支持部４３（アーム部）の部分が板バネでもよい。
支持部４３が板バネの場合、放熱部１２において板バネが挿入される部分のみ、放熱フィン１２１を切り欠いて収容部１２２を形成してもよい。あるいは、板バネが挿入される部分のみ、放熱フィン１２１同士の間隔を、板バネが挿入できる程度に広げて収容部１２２を形成してもよい。
【００５２】
また、本実施の形態では、放熱フィン１２１がヒートシンク１０の前部１１１から後部１１２に向かう方向（Ｐ１−Ｐ２方向）に対して直交するように平行に並べられていた。しかし、放熱フィン１２１は、どのように配置されていても構わない。上述したように、放熱フィン１２１を切り欠くなどして収容部１２２を形成し、取付バネ４０を上方向に回動させた場合に、取付バネ４０の支持部４３の少なくとも一部が収容部１２２に収容されればよい。
【００５３】
以上のように、本実施の形態によれば、放熱部１２によりＬＥＤの発熱を効率的に放熱することができるとともに、被取付部２００である天井材等の板材の厚さに影響を受けず設置することができ、さらに、取付時の作業性に優れた照明器具１００を提供することができる。
【００５４】
以上、本発明の実施の形態について説明したが、この実施の形態を部分的に実施しても構わない。あるいは、この実施の形態の２つ以上の部分を組み合わせて実施しても構わない。なお、本発明は、この実施の形態に限定されるものではなく、矛盾のない範囲であれば必要に応じて種々の変更が可能である。
【符号の説明】
【００５５】
１０  ヒートシンク、１１  光源取付部、１１ａ  光源取付当接部、１１ｂ  光源取付側部、１２  放熱部、１３  レンズ差込部、１４  レンズ受部、１５  バネ取付部、１７  取付接触部、２０  光源部、３０  レンズ部、３１  入光部、３１ａ  凹部、３２  照射部、３２ａ  凸部、３２ｂ  傾斜部、３３  差込片、３４  ヒートシンク接触部、４０  取付バネ、４１  引掛部、４２  コイルバネ部、４３  支持部、４３ａ  第一の支持部、４３ｂ  第二の支持部、４４  端部、４５  バネ制御部、４５ａ  スリット部、４５ｂ  底部、４６  屈曲部、４７  ネジ、１００  照明器具、１１１  前部、１１２  後部、１１３，１１４  側部、１２１  放熱フィン、１２１ａ  放熱面部、１２１ｂ  フィン側部、１２２  収容部、２００  被取付部、２００ａ  被取付部裏面、２００ｂ  被取付部表面、３００  埋込穴、１２１１，１２１２，１２１３，１２１４，１２１５  放熱フィン。
【図１】
2015118786.tif 000003
【図２】
2015118786.tif 000004
【図３】
2015118786.tif 000005
【図４】
2015118786.tif 000006
【図５】
2015118786.tif 000007
【図６】
2015118786.tif 000008
【図７】
2015118786.tif 000009